(57)【特許請求の範囲】
【請求項１】
第１の天板と、
前記第１の天板の長さ方向の寸法の半分以下の前記長さ方向の寸法を有する一対の第２の天板と、
前記第１の天板の裏面の幅方向の両端部に設けられた一対の第１の枠部と、
前記第２の天板の裏面の幅方向の両端部の前記第１の枠部よりも内側部分に設けられた一対の第２の枠部と、
前記第２の天板又は前記第２の枠部の内面に取り付けられ、且つ前記第２の天板の前記裏面に沿う折り畳み位置から前記裏面に対して略直角に起立する展開位置にかけて回動自在な脚部と、
前記第２の天板が前記第１の天板の前記裏面に前記長さ方向に各々観音開き状に開閉可能となるように、前記第１、第２の枠部に取り付けられた一対の蝶番とを備えており、
前記蝶番は、前記第１の枠部の内面に取り付けられた第１の羽部と、
前記第２の枠部の外面に取り付けられた第２の羽部と、
前記第１、第２の羽部を回動自在に軸支しており且つ前記第１、第２の天板が展開されたとき、前記長さ方向において前記第１、第２の枠部間に位置する回動軸部とを有していることを特徴とする折り畳みテーブル。
【請求項２】
第１の天板と、
前記第１の天板の長さ方向の寸法の半分以下の前記長さ方向の寸法を有する一対の第２の天板と、
前記第１の天板の裏面の幅方向の両端部に設けられた一対の第１の枠部と、
前記第２の天板の裏面の幅方向の両端部の前記第１の枠部よりも内側部分に設けられた一対の第２の枠部と、
前記第２の天板又は前記第２の枠部の内面に取り付けられ、且つ前記第２の天板の前記裏面に沿う折り畳み位置から前記裏面に対して略直角に起立する展開位置にかけて回動自在な脚部と、
前記第２の天板が前記第１の天板の前記裏面に前記長さ方向に各々観音開き状に開閉可能となるように、前記第１、第２の枠部に取り付けられた一対の蝶番とを備えており、
前記蝶番は、前記第１の枠部の内面に取り付けられた第１の羽部と、
前記第２の枠部の外面に取り付けられた第２の羽部と、
前記第１、第２の羽部を回動自在に軸支する回動軸部とを有し、
前記第１、第２の羽部の高さ寸法は前記第２の枠部の高さ寸法の略半分となっており、
前記第１、第２の羽部の少なくとも一方が、前記第１、第２の天板を閉じ合せた状態で、該第１、第２の羽部の下面同士が当接する程度の厚みを有していることを特徴とする折り畳みテーブル。
【請求項３】
請求項１又は２記載の折り畳みテーブルにおいて、
前記第１の天板の前記裏面の前記長さ方向の両端部に設けられた一対の第１の壁部と、
前記第２の天板の前記裏面の前記長さ方向の両端部のうち内側の端部に設けられた第２の壁部と、
前記第１の壁部と前記蝶番の前記第１の羽部とに取り付けられた略Ｌ字状の第１の補強部材と、
前記第２の壁部と前記第２の枠部の内面とに取り付けられた略Ｌ字状の第２の補強部材とを更に備えており、
前記第２の枠部が前記第１の補強部材の前記蝶番の前記第１の羽部に取り付けられた片部よりも内側に位置していることを特徴とする折り畳みテーブル。 
【請求項４】
第１の天板と、
前記第１の天板の長さ方向の寸法の半分以下の前記長さ方向の寸法を有する一対の第２の天板と、
前記第１の天板の裏面の幅方向の両端部に設けられた一対の第１の枠部と、
前記第２の天板の裏面の幅方向の両端部の前記第１の枠部よりも外側部分に設けられた一対の第２の枠部と、
前記第１の天板又は前記第１の枠部の内面に取り付けられ、且つ前記第１の天板の前記裏面に沿う折り畳み位置から前記裏面に対して略直角に起立する展開位置にかけて回動自在な脚部と、
前記第２の天板が前記第１の天板の前記裏面に前記長さ方向に各々観音開き状に開閉可能となるように、前記第１、第２の枠部に取り付けられた一対の蝶番とを備えており、
前記蝶番は、前記第１の枠部の外面に取り付けられた第１の羽部と、
前記第２の枠部の内面に取り付けられた第２の羽部と、
前記第１、第２の羽部を回動自在に支持しており且つ前記第１、第２の天板が展開されたとき、前記長さ方向において前記第１、第２の枠部間に位置する回動軸部とを有していることを特徴とする折り畳みテーブル。
【請求項５】
第１の天板と、
前記第１の天板の長さ方向の寸法の半分以下の前記長さ方向の寸法を有する一対の第２の天板と、
前記第１の天板の裏面の幅方向の両端部に設けられた一対の第１の枠部と、
前記第２の天板の裏面の幅方向の両端部の前記第１の枠部よりも外側部分に設けられた一対の第２の枠部と、
前記第１の天板又は前記第１の枠部の内面に取り付けられ、且つ前記第１の天板の前記裏面に沿う折り畳み位置から前記裏面に対して略直角に起立する展開位置にかけて回動自在な脚部と、
前記第２の天板が前記第１の天板の前記裏面に前記長さ方向に各々観音開き状に開閉可能となるように、前記第１、第２の枠部に取り付けられた一対の蝶番とを備えており、
前記蝶番は、前記第１の枠部の外面に取り付けられた第１の羽部と、
前記第２の枠部の内面に取り付けられた第２の羽部と、
前記第１、第２の羽部を回動自在に支持する回動軸部とを有し、
前記第１、第２の羽部の高さ寸法は前記第１の枠部の高さ寸法の略半分となっており、
前記第１、第２の羽部の少なくとも一方が、前記第１、第２の天板を閉じ合せた状態で、該第１、第２の羽部の下面同士が当接する程度の厚みを有していることを特徴とする折り畳みテーブル。
【請求項６】
請求項４又は５記載の折り畳みテーブルにおいて、
前記第１の天板の前記裏面の前記長さ方向の両端部に設けられた一対の第１の壁部と、
前記第２の天板の前記裏面の前記長さ方向の両端部のうち内側の端部に設けられた第２の壁部と、
前記第１の壁部と前記第１の枠部の内面とに取り付けられた略Ｌ字状の第１の補強部材と、
前記第２の壁部と前記蝶番の前記第２の羽部とに取り付けられた略Ｌ字状の第２の補強部材とを更に備えており、
前記第１の枠部が前記第２の補強部材の前記蝶番の前記第２の羽部に取り付けられた片部よりも内側に位置していることを特徴とする折り畳みテーブル。
【請求項７】
請求項１、２、３、４、５又は６記載の折り畳みテーブルにおいて、
前記第２の天板の前記裏面の前記幅方向の両端部及び前記長さ方向の外側端部に設けられたＵ字枠を備えており、
前記Ｕ字枠は、前記第２の枠部をなす第１、第２辺部を有していることを特徴とする折り畳みテーブル。
【請求項８】
請求項１記載の折り畳みテーブルにおいて、
前記第２の天板の前記裏面の前記幅方向の両端部及び前記長さ方向の外側端部に設けられたＵ字枠を備えており、
前記Ｕ字枠は、前記第２の枠部をなす第１、第２辺部と、
前記第１、第２辺部の間に設けられた中間部とを有しており、
前記脚部が、前記第２の天板又は前記第２の枠部の内面ではなく、前記Ｕ字枠の前記中間部に回動自在に取り付けられていることを特徴とする折り畳みテーブル。
【請求項９】
第１の天板と、
第１の天板よりも長さ寸法が小さい第２の天板と、
第２の天板を第１の天板の裏面の長さ方向の一端部に開閉可能に取り付ける第１の蝶番と、
第１の天板の裏面の幅方向の両端部に設けられた一対の第１の枠部と、
第２の天板の裏面の幅方向の両端部の第１の枠部よりも内側部分に設けられた一対の第２の枠部と、
第１の脚部とを備えており、
第１の枠部は、長さ寸法が第２の枠部よりも大きくなっており且つ第１、第２の天板が閉じ合わされた状態で第２の枠部に対向する対向部分と第２の枠部に対向しない非対向部分とを有しており、
第１の脚部は、第１の天板の第２の枠部よりも内側部分又は第１の枠部の非対向部分の内面に取り付けられ、且つ第１の天板の裏面に沿う折り畳み位置から前記裏面に対して略直角に起立する展開位置にかけて回動自在になっていることを特徴とする折り畳みテーブル。
【請求項１０】
請求項９記載の折り畳みテーブルにおいて、
第２の天板又は第２の枠部の内面に取り付けられ、且つ第２の天板の裏面に沿う折り畳み位置から前記裏面に対して略直角に起立する展開位置にかけて回動自在な第２の脚部を更に備えていることを特徴とする折り畳みテーブル。
【請求項１１】
第１の蝶番が第１、第２の天板ではなく第１、第２の枠部に取り付けられた請求項９〜１０の何れかに記載の折り畳みテーブルにおいて、
第１の蝶番は、第１の枠部の内面に取り付けられた第１の羽部と、
第２の枠部の外面に取り付けられた第２の羽部と、
第１、第２の羽部を回動自在に軸支する回動軸部とを有していることを特徴とする折り畳みテーブル。
【請求項１２】
請求項１１記載の折り畳みテーブルにおいて、
第１、第２の羽部の高さ寸法は第２の枠部の高さ寸法の略半分となっており、
第１、第２の羽部の少なくとも一方が、第１、第２の天板を閉じ合せた状態で、該第１、第２の羽部の下面同士が当接する程度の厚みを有していることを特徴とする折り畳みテーブル。
【請求項１３】
請求項９〜１２の何れかに記載の折り畳みテーブルにおいて、
第１の天板の裏面の長さ方向の他端部に取り付けられ、第１の枠部の間を連結する第１の連結部を更に備えており、
第１の脚部は、第１の天板の第２の枠部よりも内側部分又は第１の枠部の非対向部分の内面ではなく、第１の連結部に該第１の連結部に沿って折り畳み可能に取り付けられていることを特徴とする折り畳みテーブル。
【請求項１４】
請求項１０記載の折り畳みテーブルにおいて、
第２の天板の裏面に取り付けられ、第２の枠部の間を連結する第２の連結部を更に備えており、
第２の脚部は、第２の天板又は第２の枠部の内面ではなく、第２の連結部に該第２の連結部に沿って折り畳み可能に取り付けられていることを特徴とする折り畳みテーブル。
【請求項１５】
請求項９〜１４の何れかに記載の折り畳みテーブルにおいて、
第３の天板と、
第３の天板よりも長さ寸法が小さい第４の天板と、
第１の天板の長さ方向の他端部と第３の天板の長さ方向の一端部と開閉自在に取り付ける第２の蝶番と、
第４の天板を第３の天板の裏面の長さ方向の他端部に開閉可能に取り付ける第３の蝶番と、
第３の天板の裏面の幅方向の両端部に設けられた一対の第３の枠部と、
第４の天板の裏面の幅方向の両端部の第３の枠部よりも内側部分に設けられた一対の第４の枠部と、
第３の脚部とを更に備えており、
第３の枠部は、長さ寸法が第４の枠部よりも大きくなっており、
第３の脚部は、第４の天板又は第４の枠部の内面に取り付けられ、且つ第４の天板の裏面に沿う折り畳み位置から前記裏面に対して略直角に起立する展開位置にかけて回動自在になっていることを特徴とする折り畳みテーブル。
【請求項１６】
第２の蝶番が第１、第３の天板ではなく第１、第３の枠部に取り付けられた請求項１５記載の折り畳みテーブルにおいて、
第２の蝶番は、第１の枠部の内面に取り付けられた第１の羽部と、
第３の枠部の外面に取り付けられた第２の羽部と、
第１、第２の羽部を回動自在に軸支する回動軸部とを有していることを特徴とする折り畳みテーブル。
【請求項１７】
第３の蝶番が第３、第４の天板ではなく第３、第４の枠部に取り付けられた請求項１５又は１６記載の折り畳みテーブルにおいて、
第３の蝶番は、第１の枠部の内面に取り付けられた第１の羽部と、
第３の枠部の外面に取り付けられた第２の羽部と、
第１、第２の羽部を回動自在に軸支する回動軸部とを有していることを特徴とする折り畳みテーブル。
【請求項１８】
請求項１７記載の折り畳みテーブルにおいて、
第３の蝶番の第１、第２の羽部の高さ寸法は第４の枠部の高さ寸法の略半分となっており、
第３の蝶番の第１、第２の羽部の少なくとも一方が、第３、第４の天板を閉じ合せた状態で、該第１、第２の羽部の下面同士が当接する程度の厚みを有していることを特徴とする折り畳みテーブル。
【請求項１９】
請求項１５〜１８の何れかに記載の折り畳みテーブルにおいて、
第４の天板の裏面の長さ方向の他端部に取り付けられ、第４の枠部の間を連結する連結部を更に備えており、
第３の脚部は、第４の天板又は第４の枠部の内面ではなく、前記連結部に該連結部に沿って折り畳み可能に取り付けられていることを特徴とする折り畳みテーブル。
【発明の詳細な説明】
【技術分野】
【０００１】
本発明は、アウトドア等で使用される折り畳みテーブルに関する。
【背景技術】
【０００２】
この種の折り畳みテーブルとしては、第１、第２の天板と、第１、第２の天板の裏面の縁部に設けられた略Ｕ字状の第１、第２の枠体と、第１、第２の枠体の両端部の内面に回動自在に取り付けられた一対の第１、第２の脚部と、第１、第２の天板を開閉可能に取り付ける一対の蝶番とを備えている。前記テーブルは、第２の枠体の外形を第１の枠体の内形よりも小さくし、第１、第２の天板を閉じ合せた状態で、第２の枠体を第１の枠体の内側に位置させることにより、該テーブルの折り畳み状態における厚みの低減を図っている（特許文献１の図３参照）。
【先行技術文献】
【特許文献】
【０００３】
【特許文献１】実用新案登録第３１４６４３５号公報
【発明の概要】
【発明が解決しようとする課題】
【０００４】
ところが、第１の枠体の両端部の内面には第１の脚部が取り付けられている。このため、第１、第２の天板を閉じ合せようとすると、第２の枠体が第１の脚部に当接する。すなわち、上記テーブルは第１の脚部が邪魔で第１、第２の天板を閉じ合わせることができないという致命的な欠陥を有している。
【０００５】
本発明は、上記事情に鑑みて創案されたものであって、その目的とするところは、折り畳んだ状態で厚みの低減を図ることができる新たな折り畳みテーブルを提供することにある。
【課題を解決するための手段】
【０００６】
上記課題を解決するために、本発明の第１の折り畳みテーブルは、第１の天板と、前記第１の天板の長さ方向の寸法の半分以下の前記長さ方向の寸法を有する一対の第２の天板と、前記第１の天板の裏面の幅方向の両端部に設けられた一対の第１の枠部と、前記第２の天板の裏面の幅方向の両端部の前記第１の枠部よりも内側部分に設けられた一対の第２の枠部と、前記第２の天板又は前記第２の枠部の内面に取り付けられ、且つ前記第２の天板の前記裏面に沿う折り畳み位置から前記裏面に対して略直角に起立する展開位置にかけて回動自在な脚部と、前記第２の天板が前記第１の天板の前記裏面に前記長さ方向に各々観音開き状に開閉可能となるように、前記第１、第２の枠部に取り付けられた一対の蝶番とを備えている。前記蝶番は、前記第１の枠部の内面に取り付けられた第１の羽部と、前記第２の枠部の外面に取り付けられた第２の羽部と、前記第１、第２の羽部を回動自在に軸支しており且つ前記第１、第２の天板が展開されたとき、前記長さ方向において前記第１、第２の枠部間に位置する回動軸部とを有している。
【０００７】
このような第１の折り畳みテーブルによる場合、第２の天板を第１の天板の裏面の長さ方向の両端部に各々閉じ合わせると、第２の枠部が第１の枠部の内側に位置する。しかも、脚部が第２の天板又は第２の枠部の内面に取り付けられているので、第１の枠部と干渉しない。すなわち、第２の天板を第１の天板の裏面に各々閉じ合せた状態で、前記第２の枠部及び脚部が第１の天板の裏面側の第１の枠部の間の空間に収容されるので、本テーブルの折り畳み状態における厚みを低減することができる。
【０００９】
本発明の第２の折り畳みテーブルは、第１の天板と、前記第１の天板の長さ方向の寸法の半分以下の前記長さ方向の寸法を有する一対の第２の天板と、前記第１の天板の裏面の幅方向の両端部に設けられた一対の第１の枠部と、前記第２の天板の裏面の幅方向の両端部の前記第１の枠部よりも内側部分に設けられた一対の第２の枠部と、前記第２の天板又は前記第２の枠部の内面に取り付けられ、且つ前記第２の天板の前記裏面に沿う折り畳み位置から前記裏面に対して略直角に起立する展開位置にかけて回動自在な脚部と、前記第２の天板が前記第１の天板の前記裏面に前記長さ方向に各々観音開き状に開閉可能となるように、前記第１、第２の枠部に取り付けられた一対の蝶番とを備えている。前記蝶番は、前記第１の枠部の内面に取り付けられた第１の羽部と、前記第２の枠部の外面に取り付けられた第２の羽部と、前記第１、第２の羽部を回動自在に軸支する回動軸部とを有している。第１、第２の羽部の高さ寸法を第２の枠部の高さ寸法の略半分である。前記第１、第２の羽部の少なくとも一方が、第１、第２の天板を閉じ合せた状態で、該第１、第２の羽部の下面同士が当接する程度の厚みを有している。このような第２の折り畳みテーブルによる場合、第２の天板を第１の天板の裏面の長さ方向の両端部に各々閉じ合わせると、第２の枠部が第１の枠部の内側に位置する。しかも、脚部が第２の天板又は第２の枠部の内面に取り付けられているので、第１の枠部と干渉しない。すなわち、第２の天板を第１の天板の裏面に各々閉じ合せた状態で、前記第２の枠部及び脚部が第１の天板の裏面側の第１の枠部の間の空間に収容されるので、本テーブルの折り畳み状態における厚みを低減することができる。また、第１、第２の羽部の下面同士を当接させることにより、閉じ合せた状態における第１、第２の天板のガタツキの低減を図ることができる。
【００１０】
上記第１、第２の折り畳みテーブルは、第１の天板の裏面の長さ方向の両端部に設けられた一対の第１の壁部と、第２の天板の裏面の長さ方向の両端部のうち内側の端部に設けられた第２の壁部と、第１の壁部と蝶番の第１の羽部とに取り付けられた略Ｌ字状の第１の補強部材と、第２の壁部と第２の枠部の内面とに取り付けられた略Ｌ字状の第２の補強部材とを更に備えている。第２の枠部が第１の補強部材の蝶番の第１の羽部に取り付けられた片部よりも内側に位置している。
【００１１】
この場合、第１の補強部材が第１の壁部と蝶番の第１の羽部とに取り付けられ、第２の補強部材が第２の壁部と第２の枠部の内面とに取り付けられているので、蝶番の取り付け強度が向上する。
【００１２】
本発明の第３の折り畳みテーブルは、第１の天板と、前記第１の天板の長さ方向の寸法の半分以下の前記長さ方向の寸法を有する一対の第２の天板と、前記第１の天板の裏面の幅方向の両端部に設けられた一対の第１の枠部と、前記第２の天板の裏面の幅方向の両端部の前記第１の枠部よりも外側部分に設けられた一対の第２の枠部と、前記第１の天板又は前記第１の枠部の内面に取り付けられ、且つ前記第１の天板の前記裏面に沿う折り畳み位置から前記裏面に対して略直角に起立する展開位置にかけて回動自在な脚部と、前記第２の天板が前記第１の天板の前記裏面に前記長さ方向に各々観音開き状に開閉可能となるように、前記第１、第２の枠部に取り付けられた一対の蝶番とを備えている。前記蝶番は、前記第１の枠部の外面に取り付けられた第１の羽部と、前記第２の枠部の内面に取り付けられた第２の羽部と、前記第１、第２の羽部を回動自在に支持しており且つ前記第１、第２の天板が展開されたとき、前記長さ方向において前記第１、第２の枠部間に位置する回動軸部とを有している。
【００１３】
このような第３の折り畳みテーブルによる場合、第２の天板を第１の天板の裏面の長さ方向の両端部に各々閉じ合わせると、第１の枠部が第２の枠部の内側に位置する。しかも、脚部が第１の天板又は第１の枠部の内面に取り付けられているので、第２の枠部と干渉しない。すなわち、第２の天板を第１の天板の裏面に各々閉じ合せた状態で、前記第１の枠部及び脚部が第２の天板の裏面側の第２の枠部の間の空間に収容されるので、本テーブルの折り畳み状態における厚みを低減することができる。
【００１５】
本発明の第４の折り畳みテーブルは、第１の天板と、前記第１の天板の長さ方向の寸法の半分以下の前記長さ方向の寸法を有する一対の第２の天板と、前記第１の天板の裏面の幅方向の両端部に設けられた一対の第１の枠部と、前記第２の天板の裏面の幅方向の両端部の前記第１の枠部よりも外側部分に設けられた一対の第２の枠部と、前記第１の天板又は前記第１の枠部の内面に取り付けられ、且つ前記第１の天板の前記裏面に沿う折り畳み位置から前記裏面に対して略直角に起立する展開位置にかけて回動自在な脚部と、前記第２の天板が前記第１の天板の前記裏面に前記長さ方向に各々観音開き状に開閉可能となるように、前記第１、第２の枠部に取り付けられた一対の蝶番とを備えている。前記蝶番は、前記第１の枠部の外面に取り付けられた第１の羽部と、前記第２の枠部の内面に取り付けられた第２の羽部と、前記第１、第２の羽部を回動自在に支持する回動軸部とを有している。前記第１、第２の羽部の高さ寸法は前記第１の枠部の高さ寸法の略半分となっている。前記第１、第２の羽部の少なくとも一方が、前記第１、第２の天板を閉じ合せた状態で、該第１、第２の羽部の下面同士が当接する程度の厚みを有している。
このような第４の折り畳みテーブルによる場合、第２の天板を第１の天板の裏面の長さ方向の両端部に各々閉じ合わせると、第１の枠部が第２の枠部の内側に位置する。しかも、脚部が第１の天板又は第１の枠部の内面に取り付けられているので、第２の枠部と干渉しない。すなわち、第２の天板を第１の天板の裏面に各々閉じ合せた状態で、前記第１の枠部及び脚部が第２の天板の裏面側の第２の枠部の間の空間に収容されるので、本テーブルの折り畳み状態における厚みを低減することができる。また、第１、第２の羽部の下面同士を当接させることにより、閉じ合せた状態における第１、第２の天板のガタツキの低減を図ることができる。
【００１６】
上記第３、第４の折り畳みテーブルは、第１の天板の裏面の長さ方向の両端部に設けられた一対の第１の壁部と、第１の天板の裏面の長さ方向の両端部のうち内側の端部に設けられた第２の壁部と、第１の壁部と第１の枠部の内面とに取り付けられた略Ｌ字状の第１の補強部材と、第２の壁部と蝶番の第２の羽部とに取り付けられた略Ｌ字状の第２の補強部材とを更に備えた構成とすることができる。この場合、第１の枠部が第２の補強部材の蝶番の第２の羽部に取り付けられた片部よりも内側に位置している。
【００１７】
この場合、第１の補強部材が第１の壁部と第１の枠部の内面とに取り付けられ、第２の補強部材が第２の壁部と蝶番の第２の羽部とに取り付けられているので、蝶番の取り付け強度が向上する。
【００１８】
上記第１、第２、第３、第４の折り畳みテーブルは、第２の天板の裏面の幅方向の両端部及び長さ方向の外側端部に設けられたＵ字枠を備えた構成とすることができる。前記Ｕ字枠は、前記第２の枠部をなす第１、第２辺部を有する構成とすることが可能である。
【００１９】
また、前記脚部は、第２の天板又は第２の枠部の内面ではなく、Ｕ字枠の第１、第２辺部の間の中間部に回動自在に取り付けることができる。
【００２０】
本発明の第５の折り畳みテーブルは、第１の天板と、第１の天板よりも長さ寸法が小さい第２の天板と、第２の天板を第１の天板の裏面の長さ方向の一端部に開閉可能に取り付ける第１の蝶番と、第１の天板の裏面の幅方向の両端部に設けられた一対の第１の枠部と、第２の天板の裏面の幅方向の両端部の第１の枠部よりも内側部分に設けられた一対の第２の枠部と、第１の脚部とを備えている。第１の枠部は、長さ寸法が第２の枠部よりも大きくなっており且つ第１、第２の天板が閉じ合わされた状態で第２の枠部に対向する対向部分と第２の枠部に対向しない非対向部分とを有している。第１の脚部は、第１の天板の第２の枠部よりも内側部分又は第１の枠部の非対向部分の内面に取り付けられ且つ第１の天板の裏面に沿う折り畳み位置から前記裏面に対して略直角に起立する展開位置にかけて回動自在になっている。
前記第５の折り畳みテーブルは、第２の天板又は第２の枠部の内面に取り付けられ且つ第２の天板の裏面に沿う折り畳み位置から前記裏面に対して略直角に起立する展開位置にかけて回動自在な第２の脚部を更に備えた構成とすることが可能である。
【００２１】
このような第５の折り畳みテーブルによる場合、第２の天板を第１の天板の裏面に閉じ合わせると、第２の枠部が第１の枠部の内側に位置する。しかも、第１の脚部が第１の天板の第２の枠部よりも内側部分又は第１の枠部の非対向部分の内面に取り付けられているので、第１、第２の天板を閉じ合せた状態で、第１の脚部が第２、第１の枠部と干渉しない。すなわち、第２の天板を第１の天板の裏面に閉じ合せた状態で、前記第２の枠部及び第２の脚部が第１の天板の裏面側の第１の枠部の間の空間に収容され、第１の脚部が第２の天板の外側に配置されるので、本テーブルの折り畳み状態における厚みを低減することができる。
【００２２】
前記第１の蝶番が第１、第２の天板ではなく第１、第２の枠部に取り付けられている場合、前記第１の蝶番は、第１の枠部の内面に取り付けられた第１の羽部と、第２の枠部の外面に取り付けられた第２の羽部と、第１、第２の羽部を回動自在に支持する回動軸部とを有している。
【００２３】
前記第１の蝶番の第１、第２の羽部の高さ寸法を第２の枠部の高さ寸法の略半分とすることができる。この場合、前記第１、第２の羽部の少なくとも一方が、第１、第２の天板を閉じ合せた状態で、該第１、第２の羽部の下面同士が当接する程度の厚みを有していることが好ましい。このように第１、第２の羽部の下面同士を当接させることにより、閉じ合せた状態における第１、第２の天板のガタツキの低減を図ることができる。
【００２４】
本発明の第５の折り畳みテーブルは、第１の天板の裏面の長さ方向の他端部に取り付けられ、第１の枠部の間を連結する第１の連結部を更に備えている場合、前記第１の脚部は、第１の天板の第２の枠部よりも内側部分又は第１の枠部の非対向部分の内面ではなく、第１の連結部に該第１の連結部に沿って折り畳み可能に取り付けられるようにしても良い。
【００２５】
この場合、前記第１の脚部が第１の連結部に沿って折り畳み可能になっている。すなわち、前記第１の脚部が前記第１の天板の幅方向に折り畳み可能になっている。このため、第１、第２の天板に対して閉じ合わされた状態で、第１の脚部が第２の天板と緩衝しないようにするために、前記第１の天板の長さ寸法を第１の脚部の幅寸法分だけ前記第２の天板よりも大きくすれば足りる。よって、前記第１の天板が前記第２の天板よりも長くなりすぎるのを抑止することができる。
【００２６】
前記第５の折り畳みテーブルが、第２の天板の裏面に取り付けられ、第２の枠部の間を連結する第２の連結部を更に備えている場合、 第２の脚部は、第２の天板又は第２の枠部の内面ではなく、第２の連結部に該第２の連結部に沿って折り畳み可能に取り付けられるようにしても良い。
【００２７】
前記第５の折り畳みテーブルは、第３の天板と、第３の天板よりも長さ寸法が小さい第４の天板と、第１の天板の長さ方向の他端部と第３の天板の長さ方向の一端部と開閉自在に取り付ける第２の蝶番と、第４の天板を第３の天板の裏面の長さ方向の他端部に開閉可能に取り付ける第３の蝶番と、第３の天板の裏面の幅方向の両端部に設けられた一対の第３の枠部と、第４の天板の裏面の幅方向の両端部の第３の枠部よりも内側部分に設けられた一対の第４の枠部と、第３の脚部とを更に備えた構成とすることができる。この場合、前記第３の枠部は、長さ寸法が第４の枠部よりも大きくなっている。前記第３の脚部は、第４の天板又は第４の枠部の内面に取り付けられ且つ第４の天板の裏面に沿う折り畳み位置から前記裏面に対して略直角に起立する展開位置にかけて回動自在になっている。
【００２８】
前記第２の蝶番が第１、第３の天板ではなく第１、第３の枠部に取り付けられている場合、前記第２の蝶番は、第１の枠部の内面に取り付けられた第１の羽部と、第３の枠部の外面に取り付けられた第２の羽部と、第１、第２の羽部を回動自在に軸支する回動軸部とを有している。
【００２９】
前記第３の蝶番が第３、第４の天板ではなく第３、第４の枠部に取り付けられている場合、前記第３の蝶番は、第１の枠部の内面に取り付けられた第１の羽部と、第３の枠部の外面に取り付けられた第２の羽部と、第１、第２の羽部を回動自在に軸支する回動軸部とを有している。
【００３０】
前記第３の蝶番の第１、第２の羽部の高さ寸法は第４の枠部の高さ寸法の略半分とすることができる。この場合、前記第３の蝶番の第１、第２の羽部の少なくとも一方が、第３、第４の天板を閉じ合せた状態で、該第１、第２の羽部の下面同士が当接する程度の厚みを有している。このように第１、第２の羽部の下面同士を当接させることにより、閉じ合せた状態における第１、第２の天板のガタツキの低減を図ることができる。
【００３１】
前記第５の折り畳みテーブルが、前記第４の天板の裏面の長さ方向の他端部に取り付けられ、第４の枠部の間を連結する連結部を更に備えている場合、前記第３の脚部は、第４の天板又は第４の枠部の内面ではなく、前記連結部に該連結部に沿って折り畳み可能に取り付けられている。
【００３２】
この場合、前記第３の脚部が前記連結部に沿って折り畳み可能になっている。すなわち、前記第３の脚部が前記第４の天板の幅方向に折り畳み可能になっている。
【図面の簡単な説明】
【００３３】
【図１】本発明の実施例１に係る折り畳みテーブルの概略的斜視図である。
【図２】前記テーブルの折り畳んだ状態を示す概略的斜視図である。
【図３】前記テーブルの概略的部分底面図であって、脚部が展開位置に位置した状態を示す図である。
【図４】前記テーブルの概略的部分底面図であって、脚部が折り畳み位置に位置した状態を示す図である。
【図５】前記テーブルの折り畳んだ状態を示す概略的部分底面図であって、第２の天板を透過させた状態を示す図である。
【図６】前記テーブルの概略的部分正面図であって、（ａ）が第１、第２の天板が展開された状態を示す図、（ｂ）が第１、第２の天板が閉じ合わされた状態を示す図である。
【図７】前記テーブルの部分端面図であって、（ａ）が図１におけるＡ−Ａ端面図、（ｂ）が図１におけるＢ−Ｂ端面図である。
【図８】前記テーブルの脚部の内部が透過した概略的部分正面図である。
【図９】本発明の実施例２に係るテーブルの概略的部分底面図であって、脚部が展開位置に位置した状態を示す図である。
【図１０】本発明の実施例３に係るテーブルの概略的部分底面図であって、第１、第２の脚部が展開位置に位置した状態を示す図である。
【図１１】本発明の実施例４に係るテーブルの概略的正面図である。
【図１２】前記テーブルの底面側から見た概略的斜視図であって、（ａ）は脚部が折り畳み位置に位置した状態を示す図、（ｂ）は前記テーブルを折り畳んだ状態を示す図である。
【図１３】前記テーブルの設計変更例を示す底面側から見た概略的斜視図であって、脚部が折り畳み位置に位置した状態を示す図である。
【図１４】本発明の実施例５に係るテーブルの概略的正面図である。
【図１５】前記テーブルの底面側から見た概略的斜視図であって、脚部が折り畳み位置に位置した状態を示す図である。
【図１６】前記テーブルの底面側から見た概略的斜視図であって、（ａ）は前記テーブルの第２の天板が折り畳まれた状態を示す底面側から見た概略的斜視図、（ｂ）は前記テーブルの第４の天板が折り畳まれた状態を示す底面側から見た概略的斜視図、（ｃ）は前記テーブルが折り畳まれた状態を示す概略的斜視図である。
【発明を実施するための形態】
【００３４】
以下、本発明の実施例１乃至５に係る折り畳みテーブルについて説明する。
【実施例１】
【００３５】
まず、本発明の実施例１に係る折り畳みテーブルについて上記図１乃至図８を参照しつつ説明する。ここに掲げる折り畳みテーブルは、中央テーブル１００、一対の両側テーブル２００、４つの蝶番３００、４つの第１、第２の補強部材４００ａ、４００ｂ、４つの脚部５００及び２つの脚補強部材６００を備えている。以下、各部について詳しく説明する。
【００３６】
中央テーブル１００は、図１乃至図７に示すように、天板１１０（第１の天板）、一対の枠部１２０、一対の壁部１３０及び図示しない十字梁部を有している。天板１１０は略矩形状の板体である。天板１１０の幅方向の両端部には枠部１２０が各々取り付けられている。枠部１２０は、図７（ａ）に示すように、天板１１０の幅方向の両端部が各々嵌合する断面視横向き凹字状の嵌合部１２１と、この嵌合部１２１に各々設けられた板状の枠部本体１２２とを有している。嵌合部１２１が天板１１０の幅方向の両端部に各々取り付けられることにより、枠部本体１２２が天板１１０の裏面の幅方向の両端部上に各々配置される。天板１１０の長さ方向の両端部には壁部１３０が各々取り付けられている。壁部１３０は、天板１１０の長さ方向の両端部が各々嵌合する断面視横向き凹字状の嵌合部１３１と、この嵌合部１３１に各々設けられた板状の壁部本体１３２とを有している。壁部本体１３２の高さ寸法は枠部本体１２１の高さ寸法の略半分となっている。嵌合部１３１が天板１１０の長さ方向の両端部に各々取り付けられることにより、壁部本体１３２が天板１１０の裏面の長さ方向の両端部上に各々配置される。また、天板１１０の裏面には十字梁部が取り付けられている。十字梁部は下向き略Ｕ字状の板体である第１、第２の梁部を有する。枠部１２０の枠部本体間には第１の梁部が、壁部１３０の壁部本体間に第２の梁部は懸架されている。第１、第２の梁部は交差しており、この交差点が鋲で天板１１０の裏面に止められている。なお、天板１１０の裏面の一対の枠部１２０及び壁部１３０により区画される空間が一対の両側テーブル２００の後述するＵ字枠２２０の枠部本体２２２を収容する収容空間となる。
【００３７】
各両側テーブル２００は、図１乃至図７に示すように、天板２１０（第２の天板）、Ｕ字枠２２０、壁部２３０及び図示しない梁部を有している。天板２１０は天板１１０の略半分の長さ寸法を有する略矩形状の板体である。天板２１０の外側の両角部は１／４円弧状に面取りされている。天板２１０の幅方向の両端部及び外側端部にはＵ字枠２２０が取り付けられている。このＵ字枠２２０は、図７（ｂ）に示すように、天板２１０の幅方向の両端部及び外側端部が嵌合する断面視横向き凹字状の嵌合部２２１と、この嵌合部２２１に設けられた板状の枠部本体２２２とを有している。枠部本体２２２の両端部２２２ａ（Ｕ字枠の第１、第２辺部）が特許請求の範囲における一対の第２の枠部に相当する。両端部２２２ａは、図３及び図４に示すように、中央テーブル１００の枠部１２０の枠部本体１２２及びこれに取り付けられた第１の補強部材４００ａの第２の片部４２０ａよりも内側に位置している。また、天板２１０の長さ方向の両端部のうち内側の端部には壁部２３０が取り付けられている。壁部２３０は、天板２１０の内側の端部が嵌合する断面視横向き凹字状の嵌合部２３１と、この嵌合部２３１に設けられた板状の壁部本体２３２とを有している。壁部本体２３２の高さ寸法は枠部本体２２２の高さ寸法の略半分となっている。嵌合部２３１が天板２１０の内側端部に取り付けられることにより、壁部本体２３２が天板２１０の内側端部上に配置される。Ｕ字枠２２０の枠部本体２２２の中間部２２２ｂと壁部２３０の壁部本体２３２との間に下向き略Ｕ字状の板体である梁部が懸架されている。
【００３８】
各蝶番３００は、図３乃至図６に示すように、第１、第２の羽部３１０、３２０及び回動軸部３３０を有している。第１の羽部３１０は同一の２枚の板体３１１、３１２を前記幅方向に重ね合せた構成となっている。この板体３１１、３１２が中央テーブル１００の枠部１２０の枠部本体１２２の内面に取り付けられている。また、第２の羽部３２０は、板状の羽部本体３２１と、この羽部本体３２１の外面に取り付けられた補強板３２２とを有する構成となっている。羽部本体３２１及び補強板３２２がＵ字枠２２０の端部２２２ａの外面に取り付けられている。回動軸部３３０は第１、第２の羽部３１０、３２０の端部を貫通するボルトとナットとで構成されている。この回動軸部３３０のボルトを支点として第１、第２の羽部３１０、３２０が回動することにより、両側テーブル２００が中央テーブル１００の裏面の長さ方向の両端部に対して観音開き状に開閉可能となる。
【００３９】
第１、第２の羽部３１０、３２０の高さ寸法は、図６に示すように、Ｕ字枠２２０の枠部本体２２２の高さ寸法の略半分となっている。また、第１の羽部３１０の厚さ寸法は板体３１１、３１２の２枚の板の厚さ寸法となっており、第２の羽部３２０の厚さ寸法は羽部本体３２１及び補強板３２２の２枚の板の厚さ寸法となっていることから、両側テーブル２００が中央テーブル１００の裏面側に閉じ合わされた状態で、第１の羽部３１０の内側の板体３１２と第２の羽部３２０の補強板３２２との下面同士が当接するようになっている。
【００４０】
各第１の補強部材４００ａはステンレス等の略Ｌ字状の板体である。第１の補強部材４００ａは、図３乃至図６に示すように、第１の片部４１０ａと、第１の片部４１０ａに対して略直角に折り曲げられた第２の片部４２０ａとを有する。第１の片部４１０ａは中央テーブル１００の壁部本体１３２に取り付けられている。第２の片部４２０ａは蝶番３００の第１の羽部３１０の内側の板体３１２の内面に当接した状態で、該第１の羽部３１０と共に中央テーブル１００の枠部本体１２２の内面に取り付けられている。
【００４１】
各第２の補強部材４００ｂはステンレス等の略Ｌ字状の板体である。第２の補強部材４００ｂは、第１の片部４１０ｂと、第１の片部４１０ｂに対して略直角に折り曲げられた第２の片部４２０ｂとを有する。第１の片部４１０ｂは両側テーブル２００の壁部本体２３２に取り付けられている。第２の片部４２０ｂは両側テーブル２００の枠部本体２２２の端部２２２ａの内面に取り付けられている。
【００４２】
各脚部５００は、図１、図３、図４、図５、図６及び図８に示すように、回動脚５１０と、この回動脚５１０に着脱自在に取り付けられる延長脚５２０とを有している。回動脚５１０は円筒状のポールである。この回動脚５１０が、両側テーブル２００の枠部本体２２２の端部２２２ａの内面に該両側テーブル２００の天板２１０の裏面に沿う折り畳み位置から前記裏面に対して略直角に起立する展開位置にかけて回動自在に取り付けられている。また、回動脚５１０の基端部と端部２２２ａとには懸架部材５１１が取り付けられている。この懸架部材５１１は回動自在に連結された２つの板状体で構成されている。回動脚５１０が折り畳み位置に位置しているときには、図４に示すように、前記板状体が互いに重なるように折り畳まれる。回動脚５１０が起立位置に位置しているときには、図１及び図３に示すように、前記板状体が一直線状になり、回動脚５１０の基端部と端部２２２ａとの間に懸架される。
【００４３】
延長脚５２０は円筒状のポールである。この延長脚５２０の上端部の外径が回動脚５１０の先端部の内形よりも小さくなっている。すなわち、延長脚５２０の上端部が回動脚５１０の先端部に挿入されるようになっている。延長脚５２０は、図８に示すように、該上端部の外周面から出没自在な突起部５２１と、前記上端部内に収容され、突起部５２１を突出方向に付勢する略Ｕ字状のバネ部材５２２とを有している。突起部５２１が回動脚５１０の先端部に設けられた係止孔５１２に挿入されることにより、延長脚５２０が回動脚５１０に取り付けられた状態でロックされる。また、延長脚５２０は、図３乃至図５に示すように、回動脚５１０から取り外された状態で、図示しない係止部材によって第２の天板２１０の裏面側に取り付けられている。
【００４４】
各脚補強部材６００は、図１に示すように、天板２１０の幅方向に隣り合う脚部５００の回動脚５１０を連結する略Ｕ字状のポールである。脚補強部材６００の両端部には、係止片６１０が回動自在に取り付けられている。この係止片６１０の先端部がフック形状となっており、脚部５００の延長脚５２０の係止ポール５２３に係止されるようになっている。
【００４５】
以下、このような構成の折り畳みテーブルを折り畳む手順について説明する。まず、脚補強部材６００の係止片６１０を延長脚５２０の係止ポール５２３から取り外す。その後、延長脚５２０の突起部５２１をバネ部材５２２の付勢力に抗して延長脚５２０内に押し込み、該延長脚５２０を回動脚５１０の先端部から抜く。その後、回動脚５１０を起立位置から折り畳み位置にかけて回動させる。なお、延長脚５２０は前記係止部材に係止させる。
【００４６】
その後、図２に示すように、両側テーブル２００を中央テーブル１００の裏面側に各々閉じ合わせる。すると、両側テーブル２００のＵ字枠２２０の端部２２２ａが中央テーブル１００の枠部１２０の枠部本体１２２に取り付けられた蝶番３００の第１の羽部３１０及び第１の補強部材４００ａの第２の片部４２０ａの内側に位置する。すなわち、両側テーブル２００のＵ字枠２２０及び脚部５００が中央テーブル１００の上記収容空間に各々収容される。このとき、第１の羽部３１０の内側の板体３１２と第２の羽部３２０の補強板３２２との下面同士が当接する。
【００４７】
このような折り畳みテーブルによる場合、両側テーブル２００を中央テーブル１００の裏面側に各々閉じ合せた状態で、両側テーブル２００のＵ字枠２２０の端部２２２ａが中央テーブル１００の枠部１２０の枠部本体１２２に取り付けられた蝶番３００の第１の羽部３１０及び第１の補強部材４００ａの第２の片部４２０ａの内側に各々位置するようになっている。また、脚部５００の回動脚５１０が両側テーブル２００の第２の天板２１０の裏面側で端部２２２ａに沿って配置され、延長脚５２０が第２の天板２１０の裏面側に各々取り付けられているので、両側テーブル２００を中央テーブル１００の裏面側に閉じ合せた状態で、脚部５００の回動脚５１０及び延長脚５２０が枠部１２０の枠部本体１２２に干渉することはない。よって、上述の如く、両側テーブル２００のＵ字枠２２０及び脚部５００を中央テーブル１００の上記収容空間に各々収容することができるので、本テーブルの折り畳み状態における厚みを低減することができる。
【００４８】
また、両側テーブル２００のＵ字枠２２０の端部２２２ａが、中央テーブル１００の枠部１２０の枠部本体１２２及びこれに取り付けられた第１の補強部材４００ａの第２の片部４２０ａよりも内側に位置しているので、第２の片部４２０ａと干渉することもない。よって、第１、第２の補強部材４００ａ、４００ｂを取り付けることにより、蝶番３００の取り付け強度を向上させることができる。
【００４９】
しかも、両側テーブル２００を中央テーブル１００の裏面側に各々閉じ合せた状態で、第１の羽部３１０の内側の板体３１２と第２の羽部３２０の補強板３２２との下面同士が当接するようになっているので、閉じ合せた状態で両側テーブル２００のガタツキの低減を図ることができる。
【実施例２】
【００５０】
次に、本発明の実施例２に係る折り畳みテーブルについて上記図９を参照しつつ説明する。図９に示す折り畳みテーブルは、両側テーブル２００’にＵ字枠２２０の代わりに一対の枠部２２０’（第２の枠部）が設けられている点及び脚部５００’が両側テーブル２００’ではなく中央テーブル１００’に取り付けられている点が実施例１のテーブルと相違している。以下、その相違点についてのみ詳しく説明し、重複する説明については省略する。なお、前記折り畳みテーブルの各構成部材の符号については、’を付して実施例１と区別する。
【００５１】
枠部２２０’は実施例１の枠部１２０と略同じ構成となっている。この枠部２２０’が天板２２０’の幅方向の両端部に各々取り付けられている。枠部２２０’の板状の枠部本体２２２’が枠部１２０’の枠部本体１２２’よりも外側に位置している。
【００５２】
蝶番３００’は、第１の羽部３１０’が枠部本体１２２’の外面に取り付けられ、第２の羽部３２０’が枠部本体２２２’の内面に取り付けられている。第１の羽部３１０’は、板状の羽部本体３１１’と、この羽部本体３１１’の外面に取り付けられた補強板３１２’とを有する構成となっている。第２の羽部３２０’は同一の２枚の板体３２１’、３２２’を第２の天板２１０の幅方向に重ね合せた構成となっている。両側テーブル２００’が中央テーブル１００’の裏面側に閉じ合わされると、第１の羽部３１０’の内側の補強板３１２’と第２の羽部３２０’の板体３２２’との下面同士が当接する。また、第１の補強部材４００ａ’は、第１の片部４１０ａ’が中央テーブル１００’の壁部１３０’に取り付けられ、第２の片部４２０ａ’が中央テーブル１００’の枠部本体１２２’の内面に取り付けられている。第２の補強部材４００ｂ’は、第１の片部４１０ｂ’が両側テーブル２００’の壁部２３０’に取り付けられ、第２の片部４２０ｂ’が蝶番３００’の第２の羽部３２０’と共に両側テーブル２００’の枠部本体２２２’の内面に取り付けられている。
【００５３】
脚部５００’は脚部５００と略同じ構成となっている。この脚部５００’の回動脚５１０’は、上記実施例１と同様に枠部本体１２２’の内面に各々回動自在に取り付けられている。脚部５００’の懸架部材５１１’は、回動脚５１０の基端部と枠部本体２２２’とに取り付けられている。なお、脚部５００’の回動脚５１０’を第１の天板１１０’に回動自在に取り付けることも可能である。
【００５４】
このような折り畳みテーブルによる場合、両側テーブル２００’を中央テーブル１００の裏面側に各々閉じ合せた状態で、両側テーブル２００’の一対の枠部２２０’の枠部本体２２２’が、中央テーブル１００’の枠部１２０’の枠部本体１２２’に取り付けられた蝶番３００’の第１の羽部３１０’の外側に各々位置するようになっている。また、脚部５００’の回動脚５１０’が中央テーブル１００’の第１の天板１１０’の裏面側で枠部本体１２２’に沿って折り畳まれているので、両側テーブル２００’を中央テーブル１００’の裏面側に閉じ合せた状態で、脚部５００’の回動脚５１０’が枠部２２０’の枠部本体２２２’に干渉することはない。よって、中央テーブル１００’の枠部１２０’を両側テーブル２００’の一対の枠部２２０’の内側に収容することができるので、本テーブルの折り畳み状態における厚みを低減することができる。
【実施例３】
【００５５】
次に、本発明の実施例３に係る折り畳みテーブルについて上記図１０を参照しつつ説明する。図１０に示す折り畳みテーブルは、第１、第２のテーブル１００’’、２００’’の２つである点で実施例１の折り畳みテーブルと相違している。以下、その相違点についてのみ詳しく説明し、重複する説明については省略する。なお、第１、第２のテーブル１００’’、２００’’の符号については、’’を付して実施例１の中央テーブル１００及び両側テーブル２００と区別する。なお、図１０においては、第１のテーブル１００’’の裏面側に閉じ合わされた第２のテーブル２００’’を破線で示している。
【００５６】
第１のテーブル１００’’は中央テーブル１００と略同じ構成となっている。第２のテーブル２００’’は両側テーブル２００と略同じ構成となっている。第１のテーブル１００’’の裏面側に第２のテーブル２００’’が閉じ合わされるようになっている。すなわち、第１のテーブル１００’’と第２のテーブル２００’’とは実施例１の中央テーブル１００及び両側テーブル２００と同様に、蝶番３００により開閉自在に取り付けられている。第１のテーブル１００’’の天板１１０’’（第１の天板）の長さ寸法は第２のテーブル２００’’の天板２１０’’（第１の天板）の長さ寸法よりも長くなっている。枠部１２０’’の長さ寸法もＵ字枠２２０’’の長さ寸法よりも長くなっている。また、枠部１２０’’の枠部本体１２２’’は、第１のテーブル１００’’の裏面側に第２のテーブル２００’’が閉じ合わされた状態で、Ｕ字枠２２０’’の端部２２２ａ’’に対向する対向部分と’’端部２２２ａ’’に対向しない非対向部分とを有している。
【００５７】
第１、第２の脚部５００ａ’’、５００ｂ’’は実施例１の脚部５００と同様の構成である。第１の脚部５００ａ’’は、脚部５００と同様に、枠部１２０’’の枠部本体１２２’’の前記非対向部分の内面に回動自在に取り付けられている。第２の脚部５００ｂ’’は、実施例１の脚部５００と同様に、Ｕ字枠２２０’’の端部２２２ａ’’の内面に回動自在に取り付けられている。
【００５８】
蝶番３００及び第１、第２の補強部材４００ａ、４００ｂについては上記実施例と同じである。
【００５９】
このような折り畳みテーブルによる場合、第１のテーブル１００’’の裏面側に第２のテーブル２００’’が閉じ合わされた状態で、第１の脚部５００ａ’’が第２のテーブル２００’’の外側に配置され、第２のテーブル２００’’のＵ字枠２２０’’及び第２の脚部５００ｂ’’が第１のテーブル１００’’の収容空間（すなわち、一対の枠部１２０’’及び壁部１３０’’により区画される空間）に収容されるので、第１の脚部５００ａ’’がＵ字枠２２０’’と、第２の脚部５００ｂ’’が枠部１２０’’の枠部本体１２２’’と干渉しない。よって、本テーブルの折り畳み状態における厚みを低減することができる。
【実施例４】
【００６０】
次に、本発明の実施例４に係る折り畳みテーブルについて上記図１１及び図１２を参照しつつ説明する。図１１に示す折り畳みテーブルは、第１のテーブル１００’’’の構造及び第１の脚部７００ａの構造が実施例３の折り畳みテーブルと相違している。以下、その相違点についてのみ詳しく説明し、重複する説明については省略する。なお、第１のテーブル１００’’’の符号については、’’’を付して実施例３の第１のテーブル１００’’と区別する。第１の脚部の符号については７００ａを新に付す。
【００６１】
第１のテーブル１００’’’は、図１２（ａ）示すように、天板１１０’’’（第１の天板）、Ｕ字枠１２０’’’、壁部１３０’’’及び梁部１４０’’’を有している。天板１１０’’’は、図１２（ｂ）に示すように、天板２１０’’よりも後述する第１の脚部７００ａの取り付けスペースα１の分長い略矩形状の板体である。天板１１０’’’の外側の両角部は１／４円弧状に面取りされている。天板１１０’’’の幅方向の両端部及び外側端部にはＵ字枠１２０’’’が取り付けられている。このＵ字枠１２０’’’は、天板１１０’’’の幅方向の両端部及び外側端部が嵌合する断面視横向き凹字状の嵌合部１２１’’’と、この嵌合部１２１’’’に設けられた板状の枠部本体１２２’’’とを有している。枠部本体１２２’’’の両端部１２２ａ’’’（一対の第１の枠部）の長さ寸法がＵ字枠２２０’’の枠部本体２２２’’の両端部２２２ａ’’（一対の第２の枠部）の長さ寸法よりも大きくなっている。両端部１２２ａ’’’には第１の補強部材４００ａの第２の片部４２０ａが蝶番３００の第１の羽部３１０と共に取り付けられている。
【００６２】
壁部１３０’’’は壁部１３０と略同じ構成となっている。この壁部１３０’’’は天板１１０’’’の内側端部に取り付けられている。第１のテーブル１００’’の壁部１３０’’’の壁部本体１３２’’’には、第１の補強部材４００ａの第１の片部４１０ａが取り付けられている。梁部１４０’’’は、壁部１３０’’’とＵ字枠１２０’’’の枠部本体１２２’’’の両端部１２２ａ’’’の間の中間部１２２ｂ’’’（第１の連結部）とに懸架された略凹字状のフレームである。この壁部１３０’’’とＵ字枠１２０’’’とによりＵ字枠２２０’’の枠部本体２２２’’を収容する収容空間が区画される。
【００６３】
Ｕ字枠２２０’’の両端部２２２ａ’’は、図１２（ａ）示すように、Ｕ字枠１２０’’’の両端部１２２ａ’’の及びこれに取り付けられた第１の補強部材４００ａの第２の片部４２０ａよりも内側に位置している。
【００６４】
蝶番３００は実施例３と同じ構成である。すなわち、蝶番３００の第１の羽部３１０がＵ字枠１２０’’’の両端部１２２ａ’’’の内面に取り付けられ、第２の羽部３２０がＵ字枠２２０’’の両端部２２２ａ’’の外面に取り付けられている。この蝶番３００により第２のテーブル２００’’が第１のテーブル１００’’’の裏面側に向けて開閉可能となる。
【００６５】
第１の脚部７００ａは、回動脚７１０ａと、この回動脚７１０ａに着脱自在に取り付けられる延長脚７２０ａとを有している。回動脚７１０ａは円筒状のポールである。この回動脚７１０ａがＵ字枠１２０’’’の枠部本体１２２’’’の中間部１２２ｂ’’’の内面に、該中間部１２２ｂ’’’及び天板１１０’’’の裏面に沿う折り畳み位置から前記裏面に対して略直角に起立する展開位置にかけて回動自在に取り付けられている。すなわち、回動脚７１０ａは、中間部１２２ｂ’’’に沿って第１のテーブル１００’’’の幅方向に折り畳み可能になっている。
【００６６】
また、回動脚７１０ａの基端部と中間部１２２ｂ’’’とには第１の懸架部材７１１ａが取り付けられている。この第１の懸架部材７１１ａは回動自在に連結された２つの板状体で構成されている。回動脚７１０ａの基端部と端部１２２ａ’’’とには第２の懸架部材７１２ａが取り付けられている。第２の懸架部材７１２ａは、端部１２２ａ’’’に取り付けられたＬ字板と、一端部が前記Ｌ字板に回動自在に取り付けられた回動板とを有する構成となっている。前記回動板の他端部は回動脚７１０ａの基端部に回動自在に取り付けられている。
【００６７】
回動脚７１０ａが折り畳み位置に位置しているときには、第１の懸架部材７１１ａの前記板状体が互いに重なるように折り畳まれ、第２の懸架部材７１２ａの回動板が天板２１０の裏面に沿って倒れる。一方、回動脚７１０ａが起立位置に位置しているときには、第１の懸架部材７１１ａの前記板状体が一直線状になって回動脚７１０ａの基端部と中間部１２２ｂ’’’との間に懸架され、第２の懸架部材７１２ａの回動板が起立して回動脚７１０ａの基端部と端部１２２ａ’’’との間に懸架される。なお、回動脚７１０ａ、第１の懸架部材７１１ａ及び第２の懸架部材７１２ａの回動板の取り付け領域が上記取り付けスペースα１となる。
【００６８】
延長脚７２０ａは延長脚５２０と略同じ構成の円筒状のポールである。この延長脚７２０ａの上端部が回動脚７１０ａの先端部に着脱自在に挿入されるようになっている。
【００６９】
以下、このような構成の折り畳みテーブルを折り畳む手順について説明する。まず、第１の脚部７００ａの延長脚７２０ａを回動脚７１０ａから引き抜く。その後、回動脚７１０ａを起立位置から折り畳み位置にかけて第１のテーブル１００’’’の幅方向に向けて回動させる。その一方で、第２の脚部５００ｂ’’の延長脚５２０ｂ’’を回動脚５１０ｂ’’の先端部から抜く。その後、回動脚５１０ｂ’’を起立位置から折り畳み位置にかけて第２のテーブル２００’’の長さ方向に向けて回動させる。
【００７０】
その後、図１２（ｂ）に示すように、第２のテーブル２００’’を第１のテーブル１００’’’の裏面側に閉じ合わせる。すると、第２のテーブル２００’’のＵ字枠２２０’’の端部２２２ａ’’が第１のテーブル１００’’’のＵ字枠１２０’’’の端部１２２ａ’’’に取り付けられた蝶番３００の第１の羽部３１０及び第１の補強部材４００ａの第２の片部４２０ａの内側に位置する。すなわち、第２のテーブル２００’’のＵ字枠２２０’’及び第２の脚部５００ｂ’’の回動脚５１０ｂ’’が第１のテーブル１００の’’’のＵ字枠１２０’’’の上記収容空間に収容される。このとき、第１の羽部３１０の内側の板体３１２と第２の羽部３２０の補強板３２２との下面同士が当接する。
【００７１】
このような折り畳みテーブルによる場合、第１のテーブル１００’’’の裏面側に第２のテーブル２００’’が閉じ合わされた状態で、第１の脚部７００ａが第２のテーブル２００’’の外側に配置され、第２のテーブル２００’’のＵ字枠２２０’’及び第２の脚部５００ｂ’’の回動脚５１０ｂ’’が第１のテーブル１００’’’の上記収容空間に収容されるので、第１の脚部７００ａがＵ字枠２２０’’の枠部本体２２２’’と、第２の脚部５００ｂ’’がＵ字枠１２０’’’の両端部１２２ａ’’’と干渉することがない。よって、本テーブルの折り畳み状態における厚みを低減することができる。しかも、第１の脚部７００ａが第１のテーブル１００’’’の中間部１２２ｂ’’’沿って折り畳に可能となっているため、第１のテーブル１００’’’を取り付けスペースα１分第２のテーブル２００’’よりも長くすれば足りる。すなわち、第１の脚部５００ａ’’が取り付けられている場合に比べて、第１のテーブル１００’’’の長さ寸法を小さくすることが可能になる。
【００７２】
なお、天板１１０’’’、２００’’の外形が大きい場合には、図１３に示すように、天板１１０’’’に十字状の梁部１４１’’’、１４２’’’を取り付け、天板２１０’’に梁部２４０’’を取り付けると良い。また、第２の脚部５００ｂ’’を第１の脚部７００ａと同じ構成とすることも可能である。
【実施例５】
【００７３】
次に、本発明の実施例５に係る折り畳みテーブルについて上記図１４乃至図１６を参照しつつ説明する。図１４に示す折り畳みテーブルは、第１、第２、第３、第４のテーブル１００ａ、１００ｂ、１００ｃ、１００ｄと、一対の第１、第２、第３の蝶番３００ａ、３００ｂ、３００ｃと、一対の第１、第２、第３、第４の補強部材４００ａ、４００ｂ、４００ｃ、４００ｄと、一対の第１、第２、第３の脚部７００ａ、７００ｂ、７００ｃとを備えている。
【００７４】
第１、第３のテーブル１００ａ、１００ｃは、図１５に示すように、実施例１の中央テーブル１００と略同じ構成となっている。第２、第４のテーブル１００ｂ、１００ｄは実施例１の両側テーブル２００と略同じ構成となっている。第１のテーブル１００ａの天板１１０ａ（第１の天板）及び一対の枠部１２０ａの長さ寸法は、図１６（ａ）及び（ｂ）に示すように、第２のテーブル１００ｂの天板１１０ｂ（第２の天板）及びＵ字枠１２０ｂの両端部１２２ｂ１の長さ寸法よりも取り付けスペースα２（すなわち、第１の脚部７００ａの取付領域）分以上大きくなっている。一対の枠部１２０ａ及び壁部１３０ａにより第２のテーブル１００ｂのＵ字枠１２０ｂを収容する収容空間が区画されている。第２のテーブル１００ｂのＵ字枠１２０ｂの両端部１２２ｂ１（一対の第２の枠部）が第１のテーブル１００ａの枠部１２０ａの枠部本体１２２ｂ及びこれに取り付けられた第１の補強部材４００ａの第２の片部４２０ａよりも内側に位置している。第３のテーブル１００ｃの天板１１０ｃ（第３の天板）及び一対の枠部１２０ｃの長さ寸法は、図１６（ｂ）に示すように、第４のテーブル１００ｄの天板１１０ｄ（第４の天板）及びＵ字枠１２０ｄの両端部１２２ｄ１（一対の第４の枠部）の長さ寸法よりも大きくなっている。一対の枠部１２０ｃ及び壁部１３０ｃにより第４のテーブル１００ｄのＵ字枠１２０ｄを収容する収容空間が区画されている。第４のテーブル１００ｄのＵ字枠１２０ｄの両端部１２２ｄ１が第３のテーブル１００ｃの枠部１２０ｃの枠部本体１２２ｃ及びこれに取り付けられた第３の補強部材４００ｃの第２の片部４２０ｃよりも内側に位置している。
【００７５】
第１の蝶番３００ａは実施例１の蝶番３００と略同じ構成となっている。第１の蝶番３００ａにより第１のテーブル１００ａと第２のテーブル１００ｂとが開閉自在に取り付けられている。また、第２の蝶番３００ｂも実施例１の蝶番３００と略同じ構成となっている。この第２の蝶番３００ｂにより、第３のテーブル１００ｃと第４のテーブル１００ｄとが開閉自在に取り付けられている。
【００７６】
第３の蝶番３００ｃは、第１、第２の羽部３１０ｃ、３２０ｃ及び回動軸部３３０ｃを有している。第１の羽部３１０ｃは第１のテーブル１００ａの枠部１２０ａの枠部本体１２２ａの外面に取り付けられた板状体である。また、第２の羽部３２０ｃは、第３のテーブル１００ｃの枠部１２０ｃの枠部本体１２２ｃの外面に取り付けられた板状体である。回動軸部３３０ｃは、図１４に示すように、第１、第２の羽部３１０ｃ、３２０ｃの斜め下方に延設された延設部を貫通するボルトとナットとで構成されている。この回動軸部３３０ｃのボルトを支点として第１、第２の羽部３１０ｃ、３２０ｃが回動することにより、第１のテーブル１００ａと第３のテーブル１００ｃとが開閉自在に取り付けられる。
【００７７】
各第１の補強部材４００ａは実施例１の第１の補強部材４００ａと略同じ構成となっている。第１の補強部材４００ａの第１の片部４１０ａは第１のテーブル１００ａの壁部１３０ａの壁部本体１３２ａに取り付けられている。第１の補強部材４００ａの第２の片部４２０ａは第１の蝶番３００ａの第１の羽部３１０ａの内側の板体３１２ａの内面に当接した状態で、該第１の羽部３１０ａと共に第１のテーブル１００ａの枠部１２０ａの枠部本体１２２ａの内面に取り付けられている。
【００７８】
各第２の補強部材４００ｂは実施例１の第２の補強部材４００ｂと略同じとなっている。第２の補強部材４００ｂの第１の片部４１０ｂは第２のテーブル１００ｂの壁部１３０ｂの壁部本体１３２ｂに取り付けられている。第２の補強部材４００ｂの第２の片部４２０ｂは第２のテーブル１００ｂのＵ字枠１２０ｂの枠部本体１２２ｂの端部１２２ｂ１の内面に取り付けられている。
【００７９】
各第３の補強部材４００ｃは実施例１の第１の補強部材４００ａと略同じ構成となっている。第３の補強部材４００ｃの第１の片部４１０ｃは第３のテーブル１００ｃの壁部１３０ｃの壁部本体１３２ｃに取り付けられている。第３の補強部材４００ｃの第２の片部４２０ｃは第２の蝶番３００ｂの第１の羽部３１０ｂの内側の板体３１２ｂの内面に当接した状態で、該第１の羽部３１０ｂと共に第３のテーブル１００ｃの枠部１２０ｃの枠部本体１２２ｃの内面に取り付けられている。
【００８０】
各第４の補強部材４００ｄは実施例１の第２の補強部材４００ｂと略同じとなっている。第４の補強部材４００ｄの第１の片部４１０ｄは第４のテーブル１００ｄの壁部１３０ｄの壁部本体１３２ｄに取り付けられている。第４の補強部材４００ｄの第２の片部４２０ｄは第４のテーブル１００ｄのＵ字枠１２０ｄの枠部本体１２２ｄの端部１２２ｄ１の内面に取り付けられている。
【００８１】
第１の脚部７００ａは実施例４の第１の脚部７００ａと同じ構成となっている。第１の脚部７００ａの回動脚７１０ａが第１のテーブル１００ａの壁部１３０ａの壁部本体１３２ａ（第１の連結部）の内面に、該壁部本体１３２ａ及び天板１１０ａの裏面に沿う折り畳み位置から前記裏面に対して略直角に起立する展開位置にかけて回動自在に取り付けられている。すなわち、回動脚７１０ａは、壁部本体１３２ａに沿って第１のテーブル１００ａの幅方向に折り畳み可能になっている。
【００８２】
また、回動脚７１０ａの基端部と壁部本体１３２ａとには第１の懸架部材７１１ａが取り付けられている。この第１の懸架部材７１１ａは回動自在に連結された２つの板状体で構成されている。回動脚７１０ａの基端部と枠部１２０ａの枠部本体１２２ａとには第２の懸架部材７１２ａが取り付けられている。第２の懸架部材７１２ａは、枠部本体１２２ａに取り付けられたＬ字板と、一端部が前記Ｌ字板に回動自在に取り付けられた回動板とを有する構成となっている。前記回動板の他端部は回動脚７１０ａの基端部に回動自在に取り付けられている。よって、回動脚７１０ａが折り畳み位置に位置しているときには、第１の懸架部材７１１ａの前記板状体が互いに重なるように折り畳まれ、第２の懸架部材７１２ａの回動板が天板２１０の裏面に沿って倒れる。一方、回動脚７１０ａが起立位置に位置しているときには、第１の懸架部材７１１ａの前記板状体が一直線状になって回動脚７１０ａの基端部と壁部本体１３２ａとの間に懸架され、第２の懸架部材７１２ａの回動板が起立して回動脚７１０ａの基端部と前記Ｌ字板との間に懸架される。
【００８３】
第２の脚部７００ｂは第１の脚部７００ａと同じ構成となっている。第２の脚部７００ｂの回動脚７１０ｂが第２のテーブル１００ｂのＵ字枠１２０ｂの両端部１２２ｂ１の間の中間部１２２ｂ２（第２の連結部）の内面に、該中間部１２２ｂ２及び天板１１０ｂの裏面に沿う折り畳み位置から前記裏面に対して略直角に起立する展開位置にかけて回動自在に取り付けられている。すなわち、回動脚７１０ｂは、中間部１２２ｂ２に沿って第２のテーブル１００ｂの幅方向に折り畳み可能になっている。
【００８４】
また、回動脚７１０ｂの基端部と中間部１２２ｂ２とには第１の懸架部材７１１ｂが取り付けられている。この第１の懸架部材７１１ｂは回動自在に連結された２つの板状体で構成されている。回動脚７１０ｂの基端部と端部１２２ｂ１とには第２の懸架部材７１２ｂが取り付けられている。第２の懸架部材７１２ｂは、端部１２２ｂ１に取り付けられたＬ字板と、一端部が前記Ｌ字板に回動自在に取り付けられた回動板とを有する構成となっている。前記回動板の他端部は回動脚７１０ｂの基端部に回動自在に取り付けられている。回動脚７１０ｂが折り畳み位置に位置しているときには、第１の懸架部材７１１ｂの前記板状体が互いに重なるように折り畳まれ、第２の懸架部材７１２ｂの回動板が天板２１０の裏面に沿って倒れる。一方、回動脚７１０ｂが起立位置に位置しているときには、第１の懸架部材７１１ｂの前記板状体が一直線状になって回動脚７１０ｂの基端部と中間部１２２ｂ２との間に懸架され、第２の懸架部材７１２ｂの回動板が起立して回動脚７１０ｂの基端部と前記Ｌ字板との間に懸架される。
【００８５】
第３の脚部７００ｃも第１の脚部７００ａと同じ構成となっている。第３の脚部７００ｃの回動脚７１０ｃが第４のテーブル１００ｄのＵ字枠１２０ｄの両端部１２２ｄ１の間の中間部１２２ｄ２（連結部）の内面に、該中間部１２２ｄ２及び天板１１０ｄの裏面に沿う折り畳み位置から前記裏面に対して略直角に起立する展開位置にかけて回動自在に取り付けられている。すなわち、回動脚７１０ｃは、中間部１２２ｄ２に沿って第４のテーブル１００ｄの幅方向に折り畳み可能になっている。
【００８６】
また、回動脚７１０ｃの基端部と中間部１２２ｄ２とには第１の懸架部材７１１ｃが取り付けられている。この第１の懸架部材７１１ｃは回動自在に連結された２つの板状体で構成されている。回動脚７１０ｃの基端部と端部１２２ｄ１とには第２の懸架部材７１２ｃが取り付けられている。第２の懸架部材７１２ｃは、端部１２２ｄ１に取り付けられたＬ字板と、一端部が前記Ｌ字板に回動自在に取り付けられた回動板とを有する構成となっている。前記回動板の他端部は回動脚７１０ｃの基端部に回動自在に取り付けられている。よって、回動脚７１０ｃが折り畳み位置に位置しているときには、第１の懸架部材７１１ｃの前記板状体が互いに重なるように折り畳まれ、第２の懸架部材７１２ｃの回動板が天板２１０の裏面に沿って倒れる。一方、回動脚７１０ｃが起立位置に位置しているときには、第１の懸架部材７１１ｃの前記板状体が一直線状になって回動脚７１０ｃの基端部と中間部１２２ｄ２との間に懸架され、第２の懸架部材７１２ｃの回動板が起立して回動脚７１０ｃの基端部と前記Ｌ字板との間に懸架される。
【００８７】
以下、このような構成の折り畳みテーブルを折り畳む手順について説明する。まず、第１の脚部７００ａの延長脚７２０ａを回動脚７１０ａから引き抜く。その後、回動脚７１０ａを起立位置から折り畳み位置にかけて第１のテーブル１００ａの幅方向に向けて回動させる。同様に、第２の脚部７００ｂの延長脚７２０ｂを回動脚７１０ｂから引き抜く。その後、回動脚７１０ｂを起立位置から折り畳み位置にかけて第２のテーブル１００ｂの幅方向に向けて回動させる。同様に、第３の脚部７００ｃの延長脚７２０ｃを回動脚７１０ｃから引き抜く。その後、回動脚７１０ｃを起立位置から折り畳み位置にかけて第４のテーブル１００ｄの幅方向に向けて回動させる。
【００８８】
その後、図１６（ａ）に示すように、第２のテーブル１００ｂを第１のテーブル１００ａの裏面側に閉じ合わせる。すると、第２のテーブル１００ｂのＵ字枠１２０ｂの両端部１２２ｂ１が第１のテーブル１００ａの枠部１２０ａの枠部本体１２２ｂ及びこれに取り付けられた第１の補強部材４００ａの第２の片部４２０ａよりも内側に位置する。すなわち、第２のテーブル１００ｂのＵ字枠１２０ｂ及び第２の脚部７００ｂの回動脚７１０ｂが第１のテーブル１００ａの上記収容空間に収容される。このとき、第１の蝶番３００ａの第１の羽部３１０ａの内側の板体３１２ａと第２の羽部３２０ａの補強板３２２ａとの下面同士が当接する。なお、第１の脚部７００ａは、第２のテーブル１００ｂが第１のテーブル１００ａの裏面側に閉じ合わせられた状態で、第２のテーブル１００ｂの外側に配置されるので、第２のテーブル１００ｂのＵ字枠１２０ｂと干渉しない。
【００８９】
その後、図１６（ｂ）に示すように、第４のテーブル１００ｄを第３のテーブル１００ｃの裏面側に閉じ合わせる。すると、第４のテーブル１００ｄのＵ字枠１２０ｄの両端部１２２ｄ１が第３のテーブル１００ｃの枠部１２０ｃの枠部本体１２２ｃ及びこれに取り付けられた第３の補強部材４００ｃの第２の片部４２０ｃよりも内側に位置する。すなわち、第４のテーブル１００ｄのＵ字枠１２０ｄ及び第３の脚部７００ｃの回動脚７１０ｃが第３のテーブル１００ｃの上記収容空間に収容される。このとき、第２の蝶番３００ｂの第１の羽部３１０ｂの内側の板体３１２ｂと第２の羽部３２０ｂの補強板３２２ｂとの下面同士が当接する。なお、第４のテーブル１００ｄを第３のテーブル１００ｃの裏面側に閉じ合わせた後に、第２のテーブル１００ｂを第１のテーブル１００ａの裏面側に閉じ合わせても良い。
【００９０】
その後、図１６（ｃ）に示すように、第１のテーブル１００ａと第３のテーブル１００ｃを閉じ合わせる。すると、第２のテーブル１００ｂと第４のテーブル１００ｄとが当接する。
【００９１】
このような折り畳みテーブルによる場合、第１のテーブル１００ａの裏面側に第２のテーブル１００ｂが閉じ合わされた状態で、第１の脚部７００ａが第２のテーブル１００ｂの外側に配置され、第２のテーブル１００ｂのＵ字枠１２０ｂ及び第２の脚部７００ｂの回動脚７１０ｂが第１のテーブル１００ａの上記収容空間に収容される。また、第３のテーブル１００ｃの裏面側に第４のテーブル１００ｄが閉じ合わされた状態で、第４のテーブル１００ｄのＵ字枠１２０ｄ及び第４の脚部７００ｄの回動脚７１０ｄが第３のテーブル１００ｃの上記収容空間に収容される。よって、本テーブルの折り畳み状態における厚みを２枚分低減することができる。しかも、第１の脚部７００ａがＵ字枠１２０ｂの枠部本体１２２ｂと、第２の脚部７００ｂが枠部１２０ａの枠部本体１２２ａと、第３の脚部７００ｃが枠部１２０ｃの枠部本体１２２ｃと干渉することがない。更に、第１の脚部７００ａが第１のテーブル１００ａの中間部１２２ａ２沿って折り畳に可能となっているため、第１のテーブル１００ａを取り付けスペースα分第２のテーブル１００ｂよりも長くすれば足りるので、第１のテーブル１００ａの長さ寸法を小さくすることが可能になっている。
【００９２】
なお、上述した折り畳みテーブルは、上記実施例に限定されるものではなく、特許請求の範囲の記載の範囲において任意に設計変更することが可能である。以下、詳しく述べる。
【００９３】
上記実施例１及び２では、第２の天板２１０、２１０’の長さ寸法は第１の天板１１０、１１０’の長さ寸法の略半分であるとしたが、半分以下である限り任意に設計変更することが可能である。また、第１の天板１１０、１１０’の幅方向の両端部には枠部１２０、１２０’が取り付けられているとしたが、少なくとも枠部本体１２２、１２２’が第１の天板１１０の幅方向の両端部上に設けられていれば良い。また、枠部２２０’についても、枠部本体２２２’が第２の天板２１０’の幅方向の両端部上に設けられていれば良い。
【００９４】
また、実施例１では、第２の天板２１０の幅方向の両端部及び外側端部にはＵ字枠２２０が取り付けられているとしたが、Ｕ字枠２２０の枠部本体２２２の端部２２２ａが第２の天板２１０の幅方向の両端部上に設けられていれば良い。この点は、実施例２のＵ字枠２２０’、実施例３及び４のＵ字枠２２０’’、実施例４のＵ字枠１２０’’’並びに実施例５のＵ字枠１２０ｂ、１２０ｄについても同様である。
【００９５】
また、上記実施例１では、蝶番３００がＵ字枠２２０の枠部本体２２２の端部２２２ａと、枠部１２０の枠部本体１２２とに取り付けられているとしたが、これに限定されるものではない。例えば、蝶番３００を天板１１０と天板２１０とに取り付けることも可能である。この点は、実施例２の蝶番３００’、実施例３及び４の蝶番３００並びに実施例５の第１、第２、第３の蝶番３００ａ、３００ｂ、３００ｃについても同様である。
【００９６】
上記実施例１では、脚部５００の回動脚５１０が端部２２２ａの内面に回動自在に取り付けられているとしたが、これに限定されるものではない。例えば、脚部が第２の天板２１０自体に回動自在に取り付けられていても良いし、Ｕ字枠２２０の中間部２２２ｂに回動自在に取り付けられていても良い。また、脚部５００は、回動脚５１０及び延長脚５２０を有する構成であるとしたが、第１の天板、第１の枠部の内面、第２の天板又は第２の枠部の内面に回動自在に取り付けられるものである限り任意に設計変更することが可能である。この点は、脚部５００’、５００ａ’’、５００ｂ’’、第１の脚部７００ａ、第２の脚部７００ｂ及び第３の脚部７００ｃについても同様である。なお、上記実施例において、脚部５００、５００’、５００ａ’’、５００ｂ’’、第１の脚部７００ａ、第２の脚部７００ｂ及び第３の脚部７００ｃを混在したり置換したりすることができる。
【００９７】
第１、第２の補強部材４００ａ、４００ｂについては、省略することが可能である。この場合、上記壁部も省略することが可能である。
【００９８】
なお、上述した折り畳みテーブルの各部を構成する素材、形状や寸法等はその一例を説明したものであって、同様の機能を実現し得る限り任意に設計変更することが可能である。
【符号の説明】
【００９９】
実施例１
１００・・・中央テーブル
１１０・・天板（第１の天板）
１２０・・枠部（第１の枠部）
１３０・・壁部
２００・・・両側テーブル
２１０・・天板（第２の天板）
２２０・・Ｕ字枠
２２２ａ・端部（第２の枠部）
２３０・・壁部
３００・・・蝶番
３１０・・第１の羽部
３２０・・第２の羽部
３３０・・回動軸部
４００ａ・・第１の補強部材
４００ｂ・・第２の補強部材
５００・・・脚部
６００・・・脚補強部材
実施例２
１００’・・中央テーブル
１１０’・天板（第１の天板）
１２０’・枠部（第１の枠部）
１３０’・壁部
２００’・・両側テーブル
２１０’・天板（第２の天板）
２２０’・枠部（第２の枠部）
２３０’・壁部
３００’・・蝶番
５００’・・脚部
実施例３
１００’’・・第１のテーブル
１１０’’・天板（第１の天板）
１２０’’・枠部（第１の枠部）
１３０’’・壁部
２００’’・・第２のテーブル
２１０’’・天板（第２の天板）
２２０’’・Ｕ字枠
２２２ａ’’・端部（第２の枠部）
２３０’’・壁部
５００ａ’’、５００ｂ’’・脚部
実施例４
１００’’’・・第１のテーブル
１１０’’’・天板（第１の天板）
１２０’’・Ｕ字枠
１２２ａ’’’・端部（第１の枠部）
１３０’’’・壁部
７００ａ・・脚部
実施例５
１００ａ・・第１のテーブル
１１０ａ・天板（第１の天板）
１２０ａ・枠部（第１の枠部）
１３０ａ・壁部（第１の連結部）
１００ｂ・・第２のテーブル
１１０ｂ・天板（第２の天板）
１２０ｂ・Ｕ字枠
１２２ｂ１・端部（第２の枠部）
１２２ｂ２・中間部（第２の連結部）
１３０ｂ・壁部
１００ｃ・・第３のテーブル
１１０ｃ・天板（第３の天板）
１２０ｃ・枠部（第３の枠部）
１３０ｃ・壁部（第３の連結部）
１００ｄ・・第４のテーブル
１１０ｄ・天板（第４の天板）
１２０ｄ・Ｕ字枠
１２２ｄ１・端部（第４の枠部）
１２２ｄ２・中間部（第４の連結部）
１３０ｄ・壁部
７００ａ・・第１の脚部
７００ｂ・・第２の脚部
７００ｃ・・第３の脚部
【図１】
0005483412.tif 000002
【図２】
0005483412.tif 000003
【図３】
0005483412.tif 000004
【図４】
0005483412.tif 000005
【図５】
0005483412.tif 000006
【図６】
0005483412.tif 000007
【図７】
0005483412.tif 000008
【図８】
0005483412.tif 000009
【図９】
0005483412.tif 000010
【図１０】
0005483412.tif 000011
【図１１】
0005483412.tif 000012
【図１２】
0005483412.tif 000013
【図１３】
0005483412.tif 000014
【図１４】
0005483412.tif 000015
【図１５】
0005483412.tif 000016
【図１６】
0005483412.tif 000017